(57)【要約】【課題】  画面輝度や音量など各種調整を行うための画面を呼び出すためのボタンをソフトウェアキーとしてホーム画面に表示する画像処理装置においては、セルフコピーモードにすると、こうした画面輝度や音量などの各種調整も実行することができなくなってしまうという課題があった。【解決手段】  セルフコピーモードで起動すると輝度調整キー及び音量調整キーといった調整キーをソフトキー表示領域に表示するので、ユーザはいつでも画面輝度や音量の調整を行うことができる。【選択図】図８
2020107929.tif 000002
【特許請求の範囲】
【請求項１】
不特定多数のユーザがコピー機能を使用できるようにするセルフコピーモードを持つ画像処理装置において、
少なくともアプリケーション表示領域とソフトキー表示領域とを持つ表示画面を表示する画面表示手段と、
セルフコピーモードと通常モードを切り替える動作モード切り替え手段と、
前記どちらの動作モードで動作しているかを判断する動作モード判断手段と、
前記判断手段によって、セルフコピーモードで動作していると判断すると、前記ソフトキー領域に画像処理装置の調整を行うためのキーを表示する調整キー表示手段と、
を有することを特徴とする画像処理装置。
【請求項２】
前記調整キーは、画像処理装置のディスプレイの画面輝度を調整する画面を呼び出すためのキーであることを特徴とする請求項１に記載の画像処理装置。
【請求項３】
前記調整キーは、画像処理装置が出力する音の音量を調整する画面を呼び出すためのキーであることを特徴とする請求項１に記載の画像処理装置。
【請求項４】
さらに、セルフコピーモード時にソフトキー領域に表示するキーを設定する設定手段と、前記設定手段によって設定された調整キーをソフトキー領域に表示する表示手段をもつことを特徴とする請求項１に記載の画像処理装置。
【発明の詳細な説明】
【技術分野】
【０００１】
本発明は、画像処理装置の画面表示制御に関する。
【背景技術】
【０００２】
複数の処理機能を有するジョブ処理装置として、所謂デジタル複合機等の画像処理装置が知られている。この画像処理装置は、例えば、コピー、プリント、スキャン、電子メール送信、及びファクス送受信等の処理機能を有している。こうした、多機能な画像処理装置は、機能を選択するためのボタンをアイコン等で一覧表示して、その中からユーザが所望の機能を選択可能にしているものがある。
【０００３】
特許文献１には、複数の処理機能（コピー機能、ファクシミリ機能、スキャナ機能、電子メール機能等）を備えた画像形成装置において、前記複数の処理機能のうちいずれかを選択するための画面を表示する画像形成装置が開示されている。
【０００４】
このように、画像処理装置が備える機能をユーザに選択可能に表示する画面をメニュー画面やホーム画面と呼ぶ。
【０００５】
また、画像処理装置は上述したような各種画像処理を実行するための機能画面の他に、例えば、表示画面の輝度や、装置からの報知音の音量など、各種調整を行うための画面を表示する機能を有している。これまで、こうした調整画面を呼び出すために専用のハードウェアキーを設ける場合が多かった。
【０００６】
しかし、近年では、なるべく表示画面領域を大きく確保するため、ハードウェアキーの数を減らしたり、またはハードウェアキーを無くしたりした画像処理装置が増えてきている。そうした画像処理装置においては、各種調整を行うための画面を呼び出すためのボタンをソフトウェアキーとして前述したホーム画面に表示し、ユーザがそのボタンを選択することによって各種調整画面を呼び出すことを可能にしているものがある。
【先行技術文献】
【特許文献】
【０００７】
【特許文献１】特開２００６−３０８８３１号公報
【発明の概要】
【発明が解決しようとする課題】
【０００８】
画像処理装置の中には、コンビニエンスストアや図書館などのパブリックスペースに置かれて不特定多数のユーザがコピー機能を使用できるようにしたものがある。このようにパブリックスペースでコピー専用機として使用するための専用のモード（セルフコピーモード）に切り替えることができる画像処理装置がある。
【０００９】
セルフコピーモードを備えた画像処理装置では、セルフコピーモードで起動すると、画像処理装置の操作画面にまずお金を投入するように促す画面を表示し、コインベンダにお金が投入されるとコピーの画面に遷移するように制御される。そして、ユーザがコピー処理を終えると再びお金の投入を促す画面に戻る。また、セルフコピーモードでは前述したホーム画面へ遷移することができないように制御される。こうすることで、ユーザはコピー機能を迷いなく使用することができるし、また、管理者は、コピー以外の機能（例えば、スキャン、電子メール送信、及びファクスなど）を使用されてしまうことにより思わぬトラブルが発生するのを防ぐことができる。
【００１０】
しかしながら、セルフコピーモードにおいてホーム画面への遷移を不可能に制御すると、画面輝度や音量など各種調整を行うための画面を呼び出すためのボタンをソフトウェアキーとしてホーム画面に設けた画像処理装置においては、こうした画面輝度や音量などの各種調整も実行することができなくなってしまうという課題があった。
【課題を解決するための手段】
【００１１】
上記の課題を解決するために、本発明に係る画像処理装置は、
パブリックスペース等に置かれて不特定多数のユーザがコピー機能を使用できるようにするセルフコピーモードを持ち、
少なくともアプリケーション表示領域（４０１）とソフトキー表示領域（４０２）とを持つ表示画面を表示する画面表示手段（２０３）と、
セルフコピーモードと通常モードを切り替える動作モード切り替え手段（図３）と、
前記どちらの動作モードで動作しているかを判断する動作モード判断手段（８０２）と、
前記判断手段によって、セルフコピーモードで動作していると判断すると、前記ソフトキー領域に画像処理装置の調整を行うためのキーを表示する調整キー表示手段（８０４、８０５）と、を有することを特徴とする。
【発明の効果】
【００１２】
本発明に係る画像処理装置によれば、セルフコピーモードで起動すると輝度調整キー及び音量調整キーといった調整キーがソフトキー表示領域に表示されるので、ユーザはいつでも画面輝度や音量の調整を行うことができる。
【図面の簡単な説明】
【００１３】
【図１】本発明の一実施の形態に係る画像処理装置のハードウェア構成を示すブロック図である。
【図２】画像処理装置のコントローラ内のシステム構成を示す図である。
【図３】画像処理装置のディスプレイに表示される動作モード設定画面の例である。
【図４】通常モードにおいて画像処理装置のディスプレイに表示される画面の例である。
【図５】画像処理装置のディスプレイに表示される輝度調整画面の例である。
【図６】画像処理装置のディスプレイに表示される音量調整画面の例である。
【図７】セルフコピーモードにおいて画像処理装置のディスプレイに表示される画面の例である。
【図８】画像処理装置のソフトキー表示領域の描画処理の流れを示すフローチャートである。
【図９】第二の実施形態において、画像処理装置のディスプレイに表示されるソフトキー表示設定画面の例である。
【図１０】第二の実施形態において、セルフコピーモード時に画像処理装置のディスプレイに表示される画面の例である。
【図１１】第二の実施形態における、画像処理装置のソフトキー表示領域の描画処理の流れを示すフローチャートである。
【発明を実施するための形態】
【００１４】
以下、本発明を実施するための形態について、図面を参照しながら説明する。
【００１５】
［第一の実施形態］
本発明の実施の形態によるジョブ処理装置である画像処理装置の一例について、図面を参照しながら説明する。
【００１６】
図１は、本発明の実施の形態によるジョブ処理装置である画像処理装置１００の一例についてそのハードウェア構成を示すブロック図である。
【００１７】
図１において、システムバス１１０に対してＣＰＵ１１１、ＲＡＭ１１２、ＲＯＭ１１３、入力部１１４、表示制御部１１５、外部メモリＩ／Ｆ１１６、通信Ｉ／Ｆコントローラ１１７、プリンタＩ／Ｆ１１８、スキャナＩ／Ｆ１１９、音出力Ｉ／Ｆ１２６、コインベンダＩ／Ｆ１２７が接続される。また、タッチパネル１２０、ディスプレイ１２２、外部メモリ１２３、プリンタ１２４、スキャナ１２５、スピーカ１２８、コインベンダ１２９が接続される。システムバス１１０に接続される各部は、システムバス１１０を介して互いにデータのやりとりを行うことができるように構成されている。
【００１８】
ＲＯＭ１１３は、不揮発性のメモリであり、画像データやその他のデータ、ＣＰＵ１１１が動作するための各種プログラムなどが、それぞれ所定の領域に格納される。ＲＡＭ１１２は、揮発性のメモリであり、ＣＰＵ１１１の主メモリ、ワークエリア等の一時記憶領域として用いられる。ＣＰＵ１１１は、例えばＲＯＭ１１３に格納されるプログラムに従い、ＲＡＭ１１２をワークメモリとして用いて、この画像処理装置１００の各部を制御する。なお、ＣＰＵ１１１が動作するためのプログラムは、ＲＯＭ１１３に格納されるのに限られず、外部メモリ（ハードディスク等）１２３に予め記憶しておいてもよい。
【００１９】
入力部１１４は、ユーザ操作を受け付け、操作に応じた制御信号を生成し、ＣＰＵ１１１に供給する。入力部１１４は、ユーザ操作を受け付ける入力デバイスとして、タッチパネル１２０と接続される。なお、タッチパネル１２０は、例えば平面的に構成された入力部に対して接触された位置に応じた座標情報が出力されるようにした入力デバイスである。抵抗膜方式や静電容量方式、表面弾性波方式、赤外線方式、電磁誘導方式、画像認識方式、光センサ方式等、様々な方式のタッチパネルのうちいずれの方式のものを用いても良い。ＣＰＵ１１１は、入力デバイスに対してなされたユーザ操作に応じて入力部１１４で生成され供給される制御信号に基づき、プログラムに従いこの画像処理装置１００の各部を制御する。これにより、画像処理装置１００に対し、ユーザ操作に応じた動作を行わせることができる。
【００２０】
表示制御部１１５は、ディスプレイ１２２に対して画像を表示させるための表示信号を出力する。例えば、表示制御部１１５に対して、ＣＰＵ１１１がプログラムに従い生成した表示制御信号が供給される。表示制御部１１５は、この表示制御信号に基づき表示信号を生成してディスプレイ１２２に対して出力する。例えば、表示制御部１１５は、ＣＰＵ１１１が生成する表示制御信号に基づき、ＧＵＩ（Ｇｒａｐｈｉｃａｌ  Ｕｓｅｒ  Ｉｎｔｅｒｆａｃｅ）を構成するＧＵＩ画面をディスプレイ１２２に表示させる。
【００２１】
タッチパネル１２０はディスプレイ１２２と一体的に構成される。例えば、タッチパネル１２０を光の透過率がディスプレイ１２２の表示を妨げないように構成し、ディスプレイ１２２の表示面の上層に取り付ける。そして、タッチパネル１２０における入力座標と、ディスプレイ１２２上の表示座標とを対応付ける。これにより、あたかもユーザがディスプレイ１２２上に表示された画面を直接的に操作可能であるかのようなＧＵＩを構成することができる。
【００２２】
外部メモリＩ／Ｆ１１６には、例えばハードディスクやフロッピーディスク、又はＣＤやＤＶＤ、メモリーカード等の外部メモリ１２３が装着可能になっている。ＣＰＵ１１１の制御に基づき、装着された外部メモリ１２３からのデータの読み出しや、当該外部メモリ１２３に対するデータの書き込みを行う。通信Ｉ／Ｆコントローラ１１７は、ＣＰＵ１１１の制御に基づき、例えばＬＡＮやインターネット、有線、無線等の各種ネットワーク１５０に対する通信を行う。スキャナＩ／Ｆ１１９は、スキャナ１２５からの画像入力を制御する。プリンタＩ／Ｆ１１８は、プリンタ１２４への画像出力を制御する。音出力Ｉ／Ｆ１２６は、ＣＰＵ１１１の制御に基づき、スピーカ１２８に対して操作音やエラー音など音の出力を制御する。コインベンダＩ／Ｆ１２７は、コインベンダ１２９と接続され、コインベンダ１２９にコインが投入されたことをＣＰＵ１１１に通知する制御を行う。
【００２３】
図２は、図１に示す画像処理装置１００の機能の一例を示すブロック図である。
【００２４】
画像処理装置１００は、その機能として通信処理部（通信処理手段）２０１、ジョブ処理部（ジョブ処理手段）２０２、操作処理部（操作処理手段）２０３、及びセルフコピーモード処理部（セルフコピーモード管理手段）２０４を有している。これらの各機能部は、ＣＰＵ１１１（図１）が、ＲＯＭ１１３または外部メモリ１２３に格納されたプログラムをＲＡＭ１１２に読みだして実行することによって実現する機能である。
【００２５】
通信処理部２０１は、ネットワーク１５０に接続されたＰＣ等から、通信インタフェースコントローラ１１７（図１）を介して送受される通信コマンドの解析及び通信制御を実行する。ジョブ処理部２０２は画像処理装置１００で実行する各種ジョブの処理を行う。具体的には、プリンタ１２４を制御してプリントジョブを実行したり、スキャナ装置１２５を制御してスキャンジョブを実行したり、通信Ｉ／Ｆコントローラ１１７を制御して送信ジョブを実行する。
【００２６】
操作処理部２０３は表示制御部１１５を制御してユーザに対する各種情報をディスプレイ１２２に表示する。さらに、タッチパネル１２０から入力されたユーザからの操作指示を入力部１１４を介して受け取って処理する。
【００２７】
セルフコピーモード処理部２０４は画像処理装置１００を後述するセルフコピーモードに切り替える処理、及び、セルフコピーモード時にセルフコピーモード用の画面を生成する処理、コインベンダ１２９との通信を制御する処理を実行する。
【００２８】
画像処理装置１００は、通常モードとセルフコピーモードの二つの動作モードを持つ。セルフコピーモードは、コンビニエンスストアや図書館などのパブリックスペースに置かれて不特定多数のユーザがコピー機能を使用できるようにするモードである。
【００２９】
図３は、画像処理装置１００のディスプレイ１２２に表示される、動作モード切り替えを行うための画面の例である。
【００３０】
ボタン３０１はセルフコピーモードに切り替える場合に選択するボタンであり、ボタン３０２はセルフコピーモードではなく通常モードにする場合に選択するボタンである。ボタン３０１とボタン３０２は互いに排他に選択状態が切り替わるように制御される。ボタン３０３は選択した動作モードを決定するＯＫボタンであり、ＯＫボタン３０３が押下されると、設定された動作モードをＲＡＭ１１２または、外部メモリ１２３に保持する。
【００３１】
画像処理装置１００の管理者ユーザは必要に応じて図３の画面を呼び出してセルフコピーモードへの切り替えを行う。なお、図３の動作モード設定画面は呼び出す際に管理者パスワードを要求し、管理者以外の一般ユーザは動作モードの切り替えはできないように制御する。
【００３２】
図４は、通常モードにおいて、画像処理装置のディスプレイ１２２に表示される画面の例を示す図である。
【００３３】
表示画面はアプリケーション画面表示領域４０１、ソフトキー表示領域４０２、ステータス表示領域４０３を持つ。
【００３４】
アプリケーション画面表示領域４０１は、現在選択されているアプリケーションの操作画面が表示される領域である。
【００３５】
ソフトキー表示領域４０２は、アプリケーション画面表示領域４０１に表示されているアプリケーションによらず、共通で必要となるソフトキーを表示する領域である。ソフトキー表示領域４０２には、スタートキー４１０、ストップキー４１１、リセットキー４１２、数値キー４１３、ホームキー４１４等の各種キーが表示される。スタートキー４１０は、画像処理装置１００の処理の開始を指示するためのキーであり、スタートキー４１０が使用可能な状態にあるか否かよって異なる色で表示される。ストップキー４１１は、稼働中の動作を止めるためのキーである。リセットキー４１２は設定を初期化するときに用いられるキーである。ホームキー４１４は画像処理装置１００の機能を選択させるためのホーム画面をアプリケーション画面表示領域４０１に表示するためのキーである。
【００３６】
ステータス表示領域４０３は画像処理装置１００で実行されているジョブの状況や、エラー等に関する情報を表示する領域である。図４ではトナー残量が少なくなっているとのメッセージが表示されている例を示している。
【００３７】
ソフトキー表示領域４０２及びステータス表示領域４０３は、アプリケーション画面表示領域４０１にいかなるアプリケーションが表示されている場合でも固定的に表示される。一方アプリケーション画面表示領域４０１の表示は、選択されているアプリケーションによって異なる画面が表示される。
【００３８】
図４（ａ）では、アプリケーション画面表示領域４０１にホーム画面が表示されている例を示している。４２１から４２６はアプリケーション呼び出しボタンであり、押下されると対応するアプリケーションの操作画面をアプリケーション表示領域４０１に表示する。例えば、コピーボタン４２１が押下されると図４（ｂ）に示すようにアプリケーション画面表示領域４０１にコピーアプリケーションの画面が表示される。
【００３９】
アプリケーション呼び出しボタンの中には、輝度調整ボタン４２５及び音量調整ボタン４２６を含む。輝度調整ボタン４２５が押下されると、図５に示す輝度調整画面をアプリケーション画面表示領域４０１に表示する。５０１は現在設定されている輝度のレベルが表示されている。ボタン５０２は輝度を一レベル下げるボタンであり、ボタン５０３は輝度を一レベル上げるためのボタンである。ボタン５０２、５０３が押下されると、現在のレベルの表示５０１を更新すると共に、表示制御部１１５を経由してディスプレイ１２２に対して輝度を変更するコマンドを送りディスプレイ１２２の表示輝度を変更する。５０４は閉じるボタンであり、押下されるとこの画面を閉じる。
【００４０】
音量調整ボタン４２６が押下されると、図６に示す音量画面をアプリケーション画面表示領域４０１に表示する。６０１は音量を小さくするためのボタンであり、６０２は音量を大きくするためのボタンである。６０３は現在設定されている音量レベルを示している。６０１、６０２、６０３は、音の種別毎に表示される。ボタン６０１またはボタン６０２が押下されると、音出力Ｉ／Ｆ１２６を介してスピーカ１２８を制御して、該当種別の音を設定された音量で鳴動させる。また、設定された音量をＲＡＭ１１２または、外部メモリ１２３に記憶する。図６の画面によって、ユーザは画像処理装置１００が出力する音の種別毎に音量を調整することができる。６０４は閉じるボタンであり、押下されるとこの画面を閉じる。
【００４１】
図７（ａ）はセルフコピーモードで起動した場合に画像処理装置のディスプレイ１２２に表示される画面の例を示す図である。アプリケーション画面表示領域４０１には、お金を投入することを促す画面が表示される。コインベンダ１２９にお金が投入されたことを検知すると、図７（ｂ）に示すように、アプリケーション画面表示領域４０１にコピー画面が表示される。
【００４２】
セルフコピーモードにおいては、ソフトキー表示領域４０２の表示が通常モードと異なる。具体的には、ホームキー４１４が非表示となり、代わりに輝度調整キー７０１及び音量調整キー７０２が表示される。輝度調整キー７０１が押下されると、アプリケーション画面表示領域４０１に図５に示す輝度調整画面を表示する。音量調整キー７０２が押下されると、アプリケーション画面表示領域４０１に図６に示す音量調整画面を表示する。
【００４３】
上記の処理について図８のフローチャートを用いて説明する。
【００４４】
図８は、画像処理装置１００がソフトキー表示領域４０２を描画する際の処理を説明するためのフローチャートである。
【００４５】
ステップ８０１においてＣＰＵ１１１は動作モードの設定を読み出す。具体的には図３の設定画面で設定され、ＲＡＭ１１２または、外部メモリ１２３に保持された動作モードの設定値を読み出す。
【００４６】
続いてステップ８０２においてＣＰＵ１１１は動作モードがセルフコピーモードであるか否かを判断する。セルフコピーモードでは無いと判断すると、ステップ８０３においてＣＰＵ１１１はホームキー４１４を描画してステップ８０６に処理を進める。一方セルフコピーモードであると判断すると、ＣＰＵ１１１はステップ８０４において輝度調整キー７０１を描画する。
【００４７】
続いてステップ８０５においてＣＰＵ１１１は音量調整キー７０２を描画する。ステップ８０６においてＣＰＵ１１１はその他のキーをソフトキー表示領域４０２に描画する。
【００４８】
以上述べたように、本実施形の画像処理装置では、セルフコピーモードで起動すると輝度調整キー７０１及び音量調整キー７０２がソフトキー表示領域４０２に表示されるので、ユーザはいつでも画面輝度及び音量の調整を行うことができる。またセルフコピーモードではホームキー４１４が表示されないので、一般ユーザがコピー以外の機能を使うことを制限することができる。一方通常モードで起動すると、輝度調整ボタン及び音量調整ボタンはホーム画面に表示されるため、ソフトキー領域を有効に利用することができる。
【００４９】
なお、本実施形の説明では輝度調整キー７０１及び音量調整キー７０２をソフトキー表示領域４０２に表示する例を示したが、セルフコピーモードの時にその他のキーをソフトキー表示領域４０２に表示するようにしても良い。
【００５０】
［第二の実施形態］
以下、第一の実施形態との差分を中心に、第二の実施形態について説明する。第二の実施形態では、セルフコピーモードの場合に、ソフトキー表示領域４０２に輝度調整キー７０１、音量調整キー７０２を表示するか否かを管理者ユーザが設定できる点が上述した第一の実施形と異なる。
【００５１】
図９は、第二の実施形において画像処理装置１００のディスプレイ１２２に表示される、ソフトキー表示設定画面の例である。
【００５２】
ボタン９０１は輝度調整キーを表示する場合に選択するボタンであり、ボタン９０２は輝度調整キーを非表示にする場合に選択するボタンである。ボタン９０１とボタン９０２は互いに排他に選択状態が切り替わるように制御される。
【００５３】
ボタン９０３は音量調整キーを表示する場合に選択するボタンであり、ボタン９０４は音量調整キーを非表示にする場合に選択するボタンである。ボタン９０３とボタン９０４は互いに排他に選択状態が切り替わるように制御される。
【００５４】
ボタン９０５は設定を決定するＯＫボタンであり、ＯＫボタン９０５が押下されると、設定された内容をＲＡＭ１１２または、外部メモリ１２３に保持する。図９の画面では、輝度調整キーは非表示、音量調整キーは表示に設定されている例を示している。
【００５５】
なお、図９の画面は呼び出す際に管理者パスワードを要求し、管理者以外の一般ユーザは動作モードの切り替えはできないように制御する。
【００５６】
図１０は図９のように設定されている場合にセルフコピーモードで起動したときに、画像処理装置１００のディスプレイ１２２に表示される画面を示す図である。
【００５７】
図９の設定に従って、ソフトキー表示領域に輝度調整キーは表示されず、音量調整キー７０２は表示されている。
【００５８】
上記の処理について図１１のフローチャートを用いて説明する。
【００５９】
図１１は、画像処理装置１００がソフトキー表示領域４０２を描画する際の処理を説明するためのフローチャートである。
【００６０】
ステップ１１０１においてＣＰＵ１１１は動作モードの設定を読み出す。具体的には図３の設定画面で設定され、ＲＡＭ１１２または、外部メモリ１２３に保持された動作モードの設定値を読み出す。続いてステップ１１０２においてＣＰＵ１１１は動作モードがセルフコピーモードであるか否かを判断する。セルフコピーモードでは無いと判断すると、ステップ１１０３においてＣＰＵ１１１はホームキー４１４を描画してステップ１１０９に処理を進める。一方、セルフコピーモードであると判断すると、ＣＰＵ１１１はステップ１１０４においてソフトキー表示設定を読み出す。具体的には図９の設定画面で設定され、ＲＡＭ１１２または、外部メモリ１２３に保持された輝度調整キー表示／非表示および音量調整キー表示／非表示の設定値を読み出す。
【００６１】
続いてＣＰＵ１１１はステップ１１０５において輝度調整キーが表示と設定されているか否かを判断する。非表示と設定されていると判断すると、ＣＰＵ１１１は処理をステップ１１０７に進める。一方、表示と判断すると、ステップ１１０６においてＣＰＵ１１１は輝度調整キー７０１を描画してステップ１１０７に処理を進める。
【００６２】
続いてＣＰＵ１１１はステップ１１０７において音量調整キーが表示と設定されているか否かを判断する。非表示と設定されていると判断すると、ＣＰＵ１１１は処理をステップ１１０９に進める。一方、表示と判断すると、ステップ１１０８においてＣＰＵ１１１は音量調整キー７０２を描画してステップ１１０９に処理を進める。ステップ１１０９においてＣＰＵ１１１はその他のキーをソフトキー表示領域４０２に描画する。
【００６３】
以上述べたように、第二の実施形の画像処理装置では、セルフコピーモードにした時に輝度調整キー７０１及び音量調整キー７０２をソフトキー表示領域４０２に表示するか否かを管理者ユーザが設定することができるので、柔軟な運用をすることができる。
【００６４】
なお、本実施形の説明では輝度調整キー７０１及び音量調整キー７０２の表示／非表示を設定可能にする例を示したが、その他のキーの表示／非表示を設定可能にしても良い。
【符号の説明】
【００６５】
１００  画像処理装置、２０３  画面表示手段、４０１  アプリケーション表示領域、
４０２  ソフトキー表示領域、７０１・７０２  キー、８０２  動作モード判断手段、
８０４・８０５  調整キー表示手段
【図１】
2020107929.tif 000003
【図２】
2020107929.tif 000004
【図３】
2020107929.tif 000005
【図４】
2020107929.tif 000006
【図５】
2020107929.tif 000007
【図６】
2020107929.tif 000008
【図７】
2020107929.tif 000009
【図８】
2020107929.tif 000010
【図９】
2020107929.tif 000011
【図１０】
2020107929.tif 000012
【図１１】
2020107929.tif 000013